【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、
前記ビデオデータを受信または生成することと、前記ビデオデータは一連のピクチャを表わし、
前記ビデオデータの符号化表現を形成する、ビットのシーケンスを含むビットストリームを生成することを備え、前記ビットストリームは、前記一連のピクチャのうちのピクチャのコーディングユニット（ＣＵ）の残差４分木（ＲＱＴ）を表すデータを含み、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴのノードのそれぞれはそれぞれのブロックに対応し、前記ＲＱＴのそれぞれのリーフノードは前記ＣＵのそれぞれのＴＵに対応し、ビットストリームを生成することは、
前記ＣＵの１つまたは複数の予測ユニット（ＰＵ）に対して予測されたビデオブロックと前記ＣＵの元のビデオブロックとに基づいて、前記ＣＵに対する残差データを生成することと、前記ＣＵに対する残差データは、残差ビデオブロックに区分され、前記ＣＵの前記ＴＵのそれぞれは、前記残差ピクセルブロックの異なる１つに関連付けられ、
前記ＲＱＴのそれぞれのノードに対して、前記それぞれのノードに対応するブロックが最大許容可能ＴＵサイズよりも大きいと決定することに応答して、前記それぞれのノードに対する分割フラグを前記ビットストリーム中で符号化することなく、前記それぞれのノードに対応するブロックを、前記ＲＱＴの付加的なノードに対応する４つのサブブロック中に、自動的に分割することと、
前記ＲＱＴの前記ルートノードにおける２つのクロマコード化ブロックフラグ（ＣＢＦ）を生成することと、前記クロマＣＢＦのそれぞれは、前記ＣＵの前記ＴＵのいずれかが前記それぞれのクロマ成分のサンプルに基づく有効クロマ係数ブロックに関連付けられているかどうかを示し、
前記ビットストリームを出力することを備える、方法。
【請求項２】
前記ルートノードが、前記ＣＵの前記ＴＵのいずれかが有効ルーマ係数ブロックに関連付けられているかどうかを示すＹ  ＣＢＦに関連付けられる、請求項１に記載の方法。
【請求項３】
前記ルートノードがフラグに関連付けられ、
前記フラグが第１の値を有する場合、前記ＣＵの前記ＴＵのうちの少なくとも１つが有効係数ブロックに関連付けられ、
前記フラグが前記第１の値とは異なる第２の値を有する場合、前記ＣＵの前記ＴＵのいずれも有効係数ブロックに関連付けられず、前記ＲＱＴ中のノードはＹ  ＣＢＦ、Ｕ  ＣＢＦ、またはＶ  ＣＢＦに関連付けられない、
請求項１に記載の方法。
【請求項４】
前記ＲＱＴ中のそれぞれのノードについて、
前記それぞれのノードのＹ  ＣＢＦ、前記それぞれのノードのＵ  ＣＢＦ、および前記それぞれのノードのＶ  ＣＢＦがすべて第１の値を有する場合、前記それぞれのノードはそれぞれの分割フラグに関連付けられず、前記それぞれの分割フラグは前記それぞれのノードが複数の子ノードを有するかどうかを示し、
前記それぞれのノードの前記Ｙ  ＣＢＦ、前記それぞれのノードの前記Ｕ  ＣＢＦ、前記それぞれのノードの前記Ｖ  ＣＢＦのうちの少なくとも１つが前記第１の値とは異なる第２の値を有する場合、前記それぞれのノードは前記それぞれの分割フラグに関連付けられ、
前記Ｙ  ＣＢＦは、前記それぞれのノードまたは前記それぞれのノードの子孫ノードに対応する任意のＴＵが有効Ｙ係数ブロックに関連付けられているかどうかを示し、
前記Ｕ  ＣＢＦは、前記それぞれのノードまたは前記それぞれのノードの子孫ノードに対応する任意のＴＵが有効Ｕ係数ブロックに関連付けられているかどうかを示し、
前記Ｖ  ＣＢＦは、前記それぞれのノードまたは前記それぞれのノードの子孫ノードに対応する任意のＴＵが有効Ｖ係数ブロックに関連付けられているかどうかを示す、
請求項１に記載の方法。
【請求項５】
少なくとも部分的に前記ＲＱＴのノードのＣＢＦに基づいて、コーディングコンテキストを選択することと、
前記選択されたコーディングコンテキストに基づいて、前記ノードの分割フラグに対してコンテキスト適応型バイナリ算術コーディング（ＣＡＢＡＣ）符号化を実行することであって、前記分割フラグが、前記ノードが複数の子ノードを有するかどうかを示すことと
をさらに備える、請求項１に記載の方法。
【請求項６】
前記コーディングコンテキストを選択することが、前記ノードのＹ  ＣＢＦと、前記ノードのＵ  ＣＢＦと、前記ノードのＶ  ＣＢＦとに基づいて、前記コーディングコンテキストを選択することを備える、請求項５に記載の方法。
【請求項７】
少なくとも部分的に同じコーディングコンテキストに基づいて、前記ＲＱＴ中のノードのＹ  ＣＢＦと、Ｕ  ＣＢＦと、Ｖ  ＣＢＦとに対してＣＡＢＡＣ符号化を実行することをさらに備える、請求項１に記載の方法。
【請求項８】
前記ＲＱＴの非リーフノードが、分割フラグと、Ｙ  ＣＢＦと、Ｕ  ＣＢＦと、Ｖ  ＣＢＦとに関連付けられ、前記非リーフノードに関連付けられた分割フラグが、前記非リーフノードが複数の子孫ノードを有することを示し、前記Ｙ  ＣＢＦが、前記子孫ノードのいずれかが有効ルーマ係数ブロックに関連付けられているかどうかを示し、前記Ｕ  ＣＢＦが、前記子孫ノードのいずれかが有効Ｕ係数ブロックに関連付けられているかどうかを示し、前記Ｖ  ＣＢＦが、前記子孫ノードのいずれかが有効Ｖ係数ブロックに関連付けられているかどうかを示す、請求項１に記載の方法。
【請求項９】
前記ＲＱＴのノードの深度に基づいて、前記ＲＱＴの前記ノードによって指定されたＹ  ＣＢＦと、Ｕ  ＣＢＦと、Ｖ  ＣＢＦとに対するコーディングコンテキストを選択することと、
前記Ｙ  ＣＢＦと、前記Ｕ  ＣＢＦと、前記Ｖ  ＣＢＦとについて選択された前記コーディングコンテキストに基づいて、前記Ｙ  ＣＢＦと、前記Ｕ  ＣＢＦと、前記Ｖ  ＣＢＦとに対してエントロピー符号化動作を実行することと
をさらに備える、請求項１に記載の方法。
【請求項１０】
前記コーディングコンテキストを選択することが、ＣＢＦに対するコーディングコンテキストを選択することを備え、前記コーディングコンテキストのインデックス値が前記ＣＢＦを指定する前記ＲＱＴ中のノードの深度に等しい、請求項９に記載の方法。
【請求項１１】
前記ＲＱＴ中のそれぞれのノードについて、
前記それぞれのノードが前記ルートノードではないか、前記それぞれのノードの親ノードのＵ  ＣＢＦが前記親ノードの子孫ノードが有効Ｕクロマブロックに関連付けられることを示さない限り、前記それぞれのノードがＵ  ＣＢＦを含まず、
前記それぞれのノードが前記ルートノードではないか、前記それぞれのノードの前記親ノードのＶ  ＣＢＦが前記親ノードの子孫ノードが有効Ｖクロマブロックに関連付けられることを示さない限り、前記それぞれのノードがＶ  ＣＢＦを含まない、
請求項１に記載の方法。
【請求項１２】
ビデオデータを復号するための方法であって、
前記ビデオデータの符号化表現を含むビットストリームを受信することと、前記ビデオデータは一連のピクチャを表わし、
前記一連のピクチャのうちのピクチャのコーディングユニット（ＣＵ）の残差４分木（ＲＱＴ）のそれぞれのノードに対して、前記それぞれのノードに対応するブロックが最大許容可能変換ユニット（ＴＵ）サイズよりも大きいと決定することに応答して、前記それぞれのノードに対する分割フラグを前記ビットストリームからパースすることなく、前記それぞれのノードに対応するブロックを、前記ＲＱＴの付加的なノードに対応する４つのサブブロック中に、自動的に分割することと、前記ＲＱＴはノードの階層を含み、前記ＲＱＴのルートノードは前記ＣＵ全体に対応し、前記ＲＱＴのそれぞれのリーフノードは前記ＣＵのそれぞれのＴＵに対応し、前記ＣＵの前記ＴＵのそれぞれは、前記残差ピクセルブロックの異なる１つに関連付けられ、
前記ＲＱＴの前記ルートノードにおいて、２つのクロマコード化ブロックフラグ（ＣＢＦ）を、前記ビットストリームからパースすることと、前記ＣＵは、前記最大許容可能ＴＵサイズよりも大きい、
前記クロマＣＢＦのそれぞれに対して、前記それぞれのクロマＣＢＦに基づいて、前記ＣＵの任意のＴＵが、それぞれのクロマ成分のサンプルに基づいている有効クロマ係数ブロックに関連付けられているかどうかを決定することと、
有効クロマ係数ブロックに関連付けられた前記ＣＵの特定のＴＵに基づいて、係数ブロックに対して逆変換を実行して、前記ＣＵの特定のＴＵに関連付けられた残差ピクセルブロックを再構成することと、前記有効クロマ係数ブロックは前記係数ブロックのうちの１つであり、
前記ＣＵの予測ユニット（ＰＵ）の１つまたは複数の予測ピクセルブロックと前記ＣＵの前記ＴＵに関連付けられた残差ピクセルブロックとに基づいて、前記ＣＵのビデオブロックを再構成することを備える、方法。
【請求項１３】
前記ビットストリームから、前記ルートノードのＹ  ＣＢＦをパースすることであって、前記ルートノードの前記Ｙ  ＣＢＦが、前記ＲＱＴの任意のリーフノードが有効ルーマ係数ブロックに関連付けられているかどうかを示すことをさらに備える、請求項１２に記載の方法。
【請求項１４】
前記ビットストリームから、前記ルートノードのフラグをパースすることであって、前記フラグが、有効係数ブロックに関連付けられた前記ＲＱＴのリーフノードがあるかどうかを示し、前記フラグが、前記ＲＱＴのリーフノードが有効係数ブロックに関連付けられないことを示す場合、前記ＲＱＴ中のノードはＣＢＦに関連付けられないことをさらに備える、請求項１２に記載の方法。
【請求項１５】
前記ＲＱＴのノードのＹ  ＣＢＦと、前記ノードのＵ  ＣＢＦと、前記ノードのＶ  ＣＢＦとに基づいて、前記ＲＱＴのノードの分割フラグをパースすることを決定することと、
前記決定したことに応答して、前記ノードの前記分割フラグに基づいて、前記ビットストリームから前記ノードの複数の子ノードをパースするかどうかを判断することとをさらに備え、
前記Ｙ  ＣＢＦが、前記ノードまたは前記ノードの任意の子孫ノードが有効Ｙ係数ブロックに関連付けられているかどうかを示し、前記Ｕ  ＣＢＦが、前記ノードまたは前記ノードの任意の子孫ノードが有効Ｕ係数ブロックに関連付けられているかどうかを示し、前記Ｖ  ＣＢＦが、前記ノードまたは前記ノードの任意の子孫ノードが有効Ｖ係数ブロックに関連付けられているかどうかを示す、
請求項１２に記載の方法。
【請求項１６】
前記ＲＱＴのノードのＣＢＦに基づいて、コーディングコンテキストを選択することと、
前記選択されたコーディングコンテキストに基づいて、前記ノードの分割フラグに対してコンテキスト適応型バイナリ算術コーディング（ＣＡＢＡＣ）復号を実行することであって、前記分割フラグが、前記ノードが複数の子ノードを有するかどうかを示すことと
をさらに備える、請求項１２に記載の方法。
【請求項１７】
前記コーディングコンテキストを選択することが、前記ノードのＹ  ＣＢＦと、前記ノードのＵ  ＣＢＦと、前記ノードのＶ  ＣＢＦとに基づいて、前記コーディングコンテキストを選択することを備える、請求項１６に記載の方法。
【請求項１８】
同じコーディングコンテキストに基づいて、前記ＲＱＴ中のノードのＹ  ＣＢＦと、Ｕ  ＣＢＦと、Ｖ  ＣＢＦとに対してＣＡＢＡＣ復号を実行することをさらに備える、請求項１２に記載の方法。
【請求項１９】
前記ＲＱＴの非リーフノードが、分割フラグと、Ｙ  ＣＢＦと、Ｕ  ＣＢＦと、Ｖ  ＣＢＦとを含み、前記非リーフノードの前記分割フラグが、前記非リーフノードが複数の子孫ノードを有することを示し、前記Ｙ  ＣＢＦが、前記子孫ノードのいずれかが有効ルーマ係数ブロックに関連付けられているかどうかを示し、前記Ｕ  ＣＢＦが、前記子孫ノードのいずれかが有効Ｕ係数ブロックに関連付けられているかどうかを示し、前記Ｖ  ＣＢＦが、前記子孫ノードのいずれかが有効Ｖ係数ブロックに関連付けられているかどうかを示す、請求項１２に記載の方法。
【請求項２０】
前記ＲＱＴのノードの深度に基づいて、前記ＲＱＴの前記ノードによって指定されたＹ  ＣＢＦと、Ｕ  ＣＢＦと、Ｖ  ＣＢＦとに対するコーディングコンテキストを選択することと、
前記Ｙ  ＣＢＦと、前記Ｕ  ＣＢＦと、前記Ｖ  ＣＢＦとについて選択された前記コーディングコンテキストに基づいて、前記Ｙ  ＣＢＦと、前記Ｕ  ＣＢＦと、前記Ｖ  ＣＢＦとに対してエントロピー復号動作を実行することと
をさらに備える、請求項１２に記載の方法。
【請求項２１】
前記コーディングコンテキストを選択することが、ＣＢＦに対するコーディングコンテキストを選択することを備え、前記コーディングコンテキストのインデックス値が前記ＣＢＦを指定する前記ＲＱＴのノードの深度に等しい、請求項２０に記載の方法。
【請求項２２】
前記ＲＱＴ中のそれぞれのノードについて、
前記それぞれのノードが前記ルートノードではないか、前記それぞれのノードの親ノードのＵ  ＣＢＦが前記親ノードの子孫ノードが有効Ｕクロマブロックに関連付けられることを示さない限り、前記それぞれのノードがＵ  ＣＢＦを含まず、
前記それぞれのノードが前記ルートノードではないか、前記それぞれのノードの前記親ノードのＶ  ＣＢＦが前記親ノードの子孫ノードが有効Ｖクロマブロックに関連付けられることを示さない限り、前記それぞれのノードがＶ  ＣＢＦを含まない、
請求項１２に記載の方法。
【請求項２３】
ビデオデータを符号化するビデオ符号化デバイスであって、
前記ビデオデータを記憶するように構成された１つまたは複数のデータ記憶媒体と、前記ビデオデータは一連のピクチャを表わし、
前記ビデオデータの符号化表現を形成する、ビットのシーケンスを含むビットストリームを生成するように構成された１つまたは複数のプロセッサを備え、前記ビットストリームは、前記一連のピクチャのうちのピクチャのコーディングユニット（ＣＵ）の残差４分木（ＲＱＴ）を表すデータを含み、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴの前記ノードのそれぞれはそれぞれのブロックに対応し、前記ＲＱＴのそれぞれのリーフノードは前記ＣＵのそれぞれのＴＵに対応し、命令は、前記ビデオ符号化デバイスを、前記ビットストリームを生成することの一部として構成し、前記ビデオ符号化デバイスは、
前記ＣＵの１つまたは複数の予測ユニット（ＰＵ）に対して予測されたビデオブロックと前記ＣＵの元のビデオブロックとに基づいて、前記ＣＵに対する残差データを生成し、前記ＣＵに対する残差データは、残差ビデオブロックに区分され、前記ＣＵの前記ＴＵのそれぞれは、前記残差ピクセルブロックの異なる１つに関連付けられ、
前記ＲＱＴのそれぞれのノードに対して、前記それぞれのノードに対応するブロックが最大許容可能ＴＵサイズよりも大きいと決定することに応答して、前記それぞれのノードに対する分割フラグを前記ビットストリーム中で符号化することなく、前記それぞれのノードに対応するブロックを、前記ＲＱＴの付加的なノードに対応する４つのサブブロック中に、自動的に分割し、
前記ＲＱＴの前記ルートノードにおいて２つのクロマコード化ブロックフラグ（ＣＢＦ）を含み、前記クロマＣＢＦのそれぞれは、前記ＣＵの前記ＴＵのいずれかが前記それぞれのクロマ成分のサンプルに基づく有効クロマ係数ブロックに関連付けられているかどうかを示す、
ビデオ符号化デバイス。
【請求項２４】
前記ルートノードがＹ  ＣＢＦに関連付けられ、前記Ｙ  ＣＢＦが、前記ＣＵの前記ＴＵのいずれかが有効ルーマ係数ブロックに関連付けられているかどうかを示す、請求項２３に記載のビデオ符号化デバイス。
【請求項２５】
前記ルートノードがフラグに関連付けられ、
前記フラグが第１の値を有する場合、前記ＣＵの前記ＴＵのうちの少なくとも１つが有効係数ブロックに関連付けられ、
前記フラグが前記第１の値とは異なる第２の値を有する場合、前記ＣＵの前記ＴＵのいずれも有効係数ブロックに関連付けられず、前記ＲＱＴ中のノードはＹ  ＣＢＦ、Ｕ  ＣＢＦ、またはＶ  ＣＢＦに関連付けられない、
請求項２３に記載のビデオ符号化デバイス。
【請求項２６】
前記ＲＱＴ中のそれぞれのノードについて、
前記それぞれのノードのＹ  ＣＢＦ、前記それぞれのノードのＵ  ＣＢＦ、および前記それぞれのノードのＶ  ＣＢＦがすべて第１の値を有する場合、前記それぞれのノードはそれぞれの分割フラグに関連付けられず、前記それぞれの分割フラグは前記それぞれのノードが複数の子ノードを有するかどうかを示し、
前記それぞれのノードの前記Ｙ  ＣＢＦ、前記それぞれのノードの前記Ｕ  ＣＢＦ、前記それぞれのノードの前記Ｖ  ＣＢＦのうちの少なくとも１つが前記第１の値とは異なる第２の値を有する場合、前記それぞれのノードは前記それぞれの分割フラグに関連付けられ、
前記Ｙ  ＣＢＦは、前記それぞれのノードまたは前記それぞれのノードの子孫ノードに対応する任意のＴＵが有効Ｙ係数ブロックに関連付けられているかどうかを示し、
前記Ｕ  ＣＢＦは、前記それぞれのノードまたは前記それぞれのノードの子孫ノードに対応する任意のＴＵが有効Ｕ係数ブロックに関連付けられているかどうかを示し、
前記Ｖ  ＣＢＦは、前記それぞれのノードまたは前記それぞれのノードの子孫ノードに対応する任意のＴＵが有効Ｖ係数ブロックに関連付けられているかどうかを示す、
請求項２３に記載のビデオ符号化デバイス。
【請求項２７】
前記１つまたは複数のプロセッサが、
前記ＲＱＴのノードのＣＢＦに基づいて、コーディングコンテキストを選択することと、
前記選択されたコーディングコンテキストに基づいて、前記ノードの分割フラグに対してコンテキスト適応型バイナリ算術コーディング（ＣＡＢＡＣ）符号化を実行することであって、前記分割フラグが、前記ノードが複数の子ノードを有するかどうかを示すことと
を行うように構成される、請求項２３に記載のビデオ符号化デバイス。
【請求項２８】
前記１つまたは複数のプロセッサが、前記ノードのＹ  ＣＢＦと、前記ノードのＵ  ＣＢＦと、前記ノードのＶ  ＣＢＦとに基づいて、前記コーディングコンテキストを選択するように、前記１つまたは複数のプロセッサが前記コーディングコンテキストを選択するように構成される、請求項２７に記載のビデオ符号化デバイス。
【請求項２９】
前記１つまたは複数のプロセッサが、同じコーディングコンテキストに基づいて、前記ＲＱＴのノードのＹ  ＣＢＦと、Ｕ  ＣＢＦと、Ｖ  ＣＢＦとに対してＣＡＢＡＣ符号化を実行するように構成される、請求項２３に記載のビデオ符号化デバイス。
【請求項３０】
前記ＲＱＴの非リーフノードが、分割フラグと、Ｙ  ＣＢＦと、Ｕ  ＣＢＦと、Ｖ  ＣＢＦとを含み、前記非リーフノードの前記分割フラグが、前記非リーフノードが複数の子孫ノードを有することを示し、前記Ｙ  ＣＢＦが、前記子孫ノードのいずれかが有効ルーマ係数ブロックに関連付けられているかどうかを示し、前記Ｕ  ＣＢＦが、前記子孫ノードのいずれかが有効Ｕ係数ブロックに関連付けられているかどうかを示し、前記Ｖ  ＣＢＦが、前記子孫ノードのいずれかが有効Ｖ係数ブロックに関連付けられているかどうかを示す、請求項２３に記載のビデオ符号化デバイス。
【請求項３１】
前記１つまたは複数のプロセッサが、
前記ＲＱＴのノードの深度に基づいて、前記ＲＱＴの前記ノードによって指定されたＹ  ＣＢＦと、Ｕ  ＣＢＦと、Ｖ  ＣＢＦとに対するコーディングコンテキストを選択することと、
前記Ｙ  ＣＢＦと、前記Ｕ  ＣＢＦと、前記Ｖ  ＣＢＦとについて選択された前記コーディングコンテキストに基づいて、前記Ｙ  ＣＢＦと、前記Ｕ  ＣＢＦと、前記Ｖ  ＣＢＦとに対してエントロピー符号化動作を実行することと
を行うように構成される、請求項２３に記載のビデオ符号化デバイス。
【請求項３２】
前記１つまたは複数のプロセッサが、ＣＢＦに対するコーディングコンテキストを選択するように、前記１つまたは複数のプロセッサが前記コーディングコンテキストを選択するように構成され、前記コーディングコンテキストのインデックス値が前記ＣＢＦを指定する前記ＲＱＴのノードの深度に等しい、請求項３１に記載のビデオ符号化デバイス。
【請求項３３】
前記ＲＱＴ中のそれぞれのノードについて、
前記それぞれのノードが前記ルートノードではないか、前記それぞれのノードの親ノードのＵ  ＣＢＦが前記親ノードの子孫ノードが有効Ｕクロマブロックに関連付けられることを示さない限り、前記それぞれのノードがＵ  ＣＢＦを含まず、
前記それぞれのノードが前記ルートノードではないか、前記それぞれのノードの前記親ノードのＶ  ＣＢＦが前記親ノードの子孫ノードが有効Ｖクロマブロックに関連付けられることを示さない限り、前記それぞれのノードがＶ  ＣＢＦを含まない、
請求項２３に記載のビデオ符号化デバイス。
【請求項３４】
ビデオデータを復号するビデオ復号デバイスであって、
前記ビデオデータを記憶するように構成された１つまたは複数のデータ記憶媒体と、
前記ビデオデータの符号化表現を含むビットストリームを受信するようにと、前記ビデオデータは一連のピクチャを表わし、
一連のピクチャのうちのピクチャのコーディングユニット（ＣＵ）の残差４分木（ＲＱＴ）のそれぞれのノードに対して、前記それぞれのノードに対応するブロックが最大許容可能変換ユニット（ＴＵ）サイズよりも大きいと決定することに応答して、前記それぞれのノードに対する分割フラグを前記ビットストリームからパースすることなく、前記それぞれのノードに対応するブロックを、前記ＲＱＴの付加的なノードに対応する４つのサブブロック中に、自動的に分割するようにと、前記ＲＱＴはノードの階層を含み、前記ＲＱＴのルートノードは前記ＣＵ全体に対応し、前記ＲＱＴのそれぞれのリーフノードは前記ＣＵのそれぞれのＴＵに対応し、前記ＣＵの前記ＴＵのそれぞれは、前記残差ピクセルブロックの異なる１つに関連付けられ、
前記ＲＱＴの前記ルートノードにおいて、２つのクロマコード化ブロックフラグ（ＣＢＦ）を、前記ビットストリームからパースするようにと、前記ＣＵは、前記最大許容可能ＴＵサイズよりも大きい、
前記クロマＣＢＦのそれぞれに対して、前記それぞれのクロマＣＢＦに基づいて、前記ＣＵの任意のＴＵが、それぞれのクロマ成分のサンプルに基づいている有効クロマ係数ブロックに関連付けられているかどうかを決定するようにと、
有効クロマ係数ブロックに関連付けられた前記ＣＵの特定のＴＵに基づいて、係数ブロックに対して逆変換を実行して、前記ＣＵの特定のＴＵに関連付けられた残差ピクセルブロックを再構成するようにと、前記有効クロマ係数ブロックは前記係数ブロックのうちの１つであり、
前記ＣＵの予測ユニット（ＰＵ）の１つまたは複数の予測ピクセルブロックと前記ＣＵの前記ＴＵに関連付けられた残差ピクセルブロックとに基づいて、前記ＣＵのビデオブロックを再構成するように構成された１つまたは複数のプロセッサを備える、
ビデオ復号デバイス。
【請求項３５】
前記１つまたは複数のプロセッサが、前記ビットストリームから、前記ルートノードのＹ  ＣＢＦをパースするようにさらに構成され、前記ルートノードの前記Ｙ  ＣＢＦが、前記ＲＱＴの任意のリーフノードが有効ルーマ係数ブロックに関連付けられているかどうかを示す、請求項３４に記載のビデオ復号デバイス。
【請求項３６】
前記１つまたは複数のプロセッサが、前記ビットストリームから、前記ルートノードのフラグをパースするようにさらに構成され、前記フラグが、有効係数ブロックに関連付けられた前記ＲＱＴのリーフノードがあるかどうかを示し、前記フラグが、前記ＲＱＴのリーフノードが有効係数ブロックに関連付けられないことを示す場合、前記ＲＱＴのノードはＣＢＦを含まない、請求項３４に記載のビデオ復号デバイス。
【請求項３７】
前記１つまたは複数のプロセッサが、
前記ＲＱＴのノードのＹ  ＣＢＦと、前記ノードのＵ  ＣＢＦと、前記ノードのＶ  ＣＢＦとに基づいて、前記ＲＱＴのノードの分割フラグをパースすることを決定することと、
前記決定したことに応答して、前記ノードの前記分割フラグに基づいて、前記ビットストリームから前記ノードの複数の子ノードをパースするかどうかを判断することと
を行うように構成され、
前記Ｙ  ＣＢＦが、前記ノードまたは前記ノードの任意の子孫ノードが有効Ｙ係数ブロックに関連付けられているかどうかを示し、前記Ｕ  ＣＢＦが、前記ノードまたは前記ノードの任意の子孫ノードが有効Ｕ係数ブロックに関連付けられているかどうかを示し、前記Ｖ  ＣＢＦが、前記ノードまたは前記ノードの任意の子孫ノードが有効Ｖ係数ブロックに関連付けられているかどうかを示す、
請求項３４に記載のビデオ復号デバイス。
【請求項３８】
前記１つまたは複数のプロセッサが、
前記ＲＱＴのノードのＣＢＦに基づいて、コーディングコンテキストを選択することと、
前記選択されたコーディングコンテキストに基づいて、前記ノードの分割フラグに対してコンテキスト適応型バイナリ算術コーディング（ＣＡＢＡＣ）復号を実行することであって、前記分割フラグが、前記ノードが複数の子ノードを有するかどうかを示すことと
を行うように構成される、請求項３４に記載のビデオ復号デバイス。
【請求項３９】
前記１つまたは複数のプロセッサが、前記ノードのＹ  ＣＢＦと、前記ノードのＵ  ＣＢＦと、前記ノードのＶ  ＣＢＦとに基づいて、前記コーディングコンテキストを選択するように構成される、請求項３８に記載のビデオ復号デバイス。
【請求項４０】
前記１つまたは複数のプロセッサが、同じコーディングコンテキストに基づいて、前記ＲＱＴのノードのＹ  ＣＢＦと、前記ノードのＵ  ＣＢＦと、前記ノードＶ  ＣＢＦとに対してＣＡＢＡＣ復号を実行するように構成される、請求項３４に記載のビデオ復号デバイス。
【請求項４１】
前記ＲＱＴの非リーフノードが、分割フラグと、Ｙ  ＣＢＦと、Ｕ  ＣＢＦと、Ｖ  ＣＢＦとを含み、前記非リーフノードの前記分割フラグが、前記非リーフノードが複数の子孫ノードを有することを示し、前記Ｙ  ＣＢＦが、前記子孫ノードのいずれかが有効ルーマ係数ブロックに関連付けられているかどうかを示し、前記Ｕ  ＣＢＦが、前記子孫ノードのいずれかが有効Ｕ係数ブロックに関連付けられているかどうかを示し、前記Ｖ  ＣＢＦが、前記子孫ノードのいずれかが有効Ｖ係数ブロックに関連付けられているかどうかを示す、請求項３４に記載のビデオ復号デバイス。
【請求項４２】
前記１つまたは複数のプロセッサが、
前記ＲＱＴのノードの深度に基づいて、前記ＲＱＴの前記ノードによって指定されたＹ  ＣＢＦと、Ｕ  ＣＢＦと、Ｖ  ＣＢＦとに対するコーディングコンテキストを選択することと、
前記Ｙ  ＣＢＦと、前記Ｕ  ＣＢＦと、前記Ｖ  ＣＢＦとについて選択された前記コーディングコンテキストに基づいて、前記Ｙ  ＣＢＦと、前記Ｕ  ＣＢＦと、前記Ｖ  ＣＢＦとに対してエントロピー復号動作を実行することと
を行うようにさらに構成される、請求項３４に記載のビデオ復号デバイス。
【請求項４３】
前記１つまたは複数のプロセッサが、ＣＢＦに対するコーディングコンテキストを選択するように、前記１つまたは複数のプロセッサが前記コーディングコンテキストを選択するように構成され、前記コーディングコンテキストのインデックス値が前記ＣＢＦを指定する前記ＲＱＴのノードの深度に等しい、請求項４２に記載のビデオ復号デバイス。
【請求項４４】
前記ＲＱＴ中のそれぞれのノードについて、
前記それぞれのノードが前記ルートノードではないか、前記それぞれのノードの親ノードのＵ  ＣＢＦが前記親ノードの子孫ノードが有効Ｕクロマブロックに関連付けられることを示さない限り、前記それぞれのノードがＵ  ＣＢＦを含まず、
前記それぞれのノードが前記ルートノードではないか、前記それぞれのノードの前記親ノードのＶ  ＣＢＦが前記親ノードの子孫ノードが有効Ｖクロマブロックに関連付けられることを示さない限り、前記それぞれのノードがＶ  ＣＢＦを含まない、
請求項３４に記載のビデオ復号デバイス。
【請求項４５】
ビデオデータを符号化するビデオ符号化デバイスであって、
前記ビデオデータを受信または生成する手段と、前記ビデオデータは一連のピクチャを表わし、
前記ビデオデータの符号化表現を形成する、ビットのシーケンスを含むビットストリームを生成する手段と、前記ビットストリームは、前記ビデオデータのコーディングユニット（ＣＵ）の残差４分木（ＲＱＴ）を表すデータを含み、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴのノードのそれぞれはそれぞれのブロックに対応し、前記ＲＱＴのそれぞれのリーフノードは前記ＣＵのそれぞれのＴＵに対応し、ビットストリームを生成する手段は、
前記ＣＵの１つまたは複数の予測ユニット（ＰＵ）に対して予測されたビデオブロックと前記ＣＵの元のビデオブロックとに基づいて、前記ＣＵに対する残差データを生成する手段と、前記ＣＵに対する残差データは、残差ビデオブロックに区分され、前記ＣＵの前記ＴＵのそれぞれは、前記残差ピクセルブロックの異なる１つに関連付けられ、
前記ＲＱＴのそれぞれのノードに対して、前記それぞれのノードに対応するブロックが最大許容可能ＴＵサイズよりも大きいと決定することに応答して、前記それぞれのノードに対する分割フラグを前記ビットストリーム中で符号化することなく、前記それぞれのノードに対応するブロックを、前記ＲＱＴの付加的なノードに対応する４つのサブブロック中に、自動的に分割する手段と、
前記ＲＱＴの前記ルートノードにおける２つのクロマコード化ブロックフラグ（ＣＢＦ）を含む手段を備え、前記クロマＣＢＦのそれぞれは、前記ＣＵの前記ＴＵのいずれかが前記それぞれのクロマ成分のサンプルに基づく有効クロマ係数ブロックに関連付けられているかどうかを示す、
ビデオ符号化デバイス。
【請求項４６】
ビデオデータを復号するビデオ復号デバイスであって、
前記ビデオデータの符号化表現を含むビットストリームを受信する手段と、前記ビデオデータは一連のピクチャを表わし、
前記一連のピクチャのうちのピクチャのコーディングユニット（ＣＵ）の残差４分木（ＲＱＴ）のそれぞれのノードに対して、前記それぞれのノードに対応するブロックが最大許容可能変換ユニット（ＴＵ）サイズよりも大きいと決定することに応答して、前記それぞれのノードに対する分割フラグを前記ビットストリームからパースすることなく、前記それぞれのノードに対応するブロックを、前記ＲＱＴの付加的なノードに対応する４つのサブブロック中に、自動的に分割する手段と、前記ＲＱＴはノードの階層を含み、前記ＲＱＴのルートノードは前記ＣＵ全体に対応し、前記ＲＱＴのそれぞれのリーフノードは前記ＣＵのそれぞれのＴＵに対応し、前記ＣＵの前記ＴＵのそれぞれは、前記残差ピクセルブロックの異なる１つに関連付けられ、
前記ＲＱＴの前記ルートノードにおいて、２つのクロマコード化ブロックフラグ（ＣＢＦ）を、前記ビットストリームからパースする手段と、前記ＣＵは、前記最大許容可能ＴＵサイズよりも大きい、
前記クロマＣＢＦのそれぞれに対して、前記それぞれのクロマＣＢＦに基づいて、前記ＣＵの任意のＴＵが、それぞれのクロマ成分のサンプルに基づいている有効クロマ係数ブロックに関連付けられているかどうかを決定する手段と、
有効クロマ係数ブロックに関連付けられた前記ＣＵの特定のＴＵに基づいて、係数ブロックに対して逆変換を実行して、前記ＣＵの特定のＴＵに関連付けられた残差ピクセルブロックを再構成する手段と、前記有効クロマ係数ブロックは前記係数ブロックのうちの１つであり、
前記ＣＵの予測ユニット（ＰＵ）の１つまたは複数の予測ピクセルブロックと前記ＣＵの前記ＴＵに関連付けられた残差ピクセルブロックとに基づいて、前記ＣＵのビデオブロックを再構成する手段を備える、
ビデオ復号デバイス。
【請求項４７】
ビデオ符号化デバイスの１つまたは複数のプロセッサによって実行されると、
ビデオデータを受信または生成し、前記ビデオデータは一連のピクチャを表わす、
前記ビデオデータの符号化表現を形成する、ビットのシーケンスを含むビットストリームを生成し、前記ビットストリームは、前記一連のピクチャのうちのピクチャのコーディングユニット（ＣＵ）の残差４分木（ＲＱＴ）を表すデータを含み、前記ＣＵは最大許容可能変換ユニット（ＴＵ）サイズよりも大きく、前記ＲＱＴはノードの階層を含み、前記ＲＱＴのルートノードは前記ＣＵ全体に対応し、前記ＲＱＴのノードのそれぞれはそれぞれのブロックに対応し、前記ＲＱＴのそれぞれのリーフノードは前記ＣＵのそれぞれのＴＵに対応する、
前記ＣＵの１つまたは複数の予測ユニット（ＰＵ）に対して予測されたビデオブロックと前記ＣＵの元のビデオブロックとに基づいて、前記ＣＵに対する残差データを生成し、前記ＣＵに対する残差データは、残差ビデオブロックに区分され、前記ＣＵの前記ＴＵのそれぞれは、前記残差ピクセルブロックの異なる１つに関連付けられる、
前記ＲＱＴのそれぞれのノードに対して、前記それぞれのノードに対応するブロックが最大許容可能ＴＵサイズよりも大きいと決定することに応答して、前記それぞれのノードに対する分割フラグを前記ビットストリーム中で符号化することなく、前記それぞれのノードに対応するブロックを、前記ＲＱＴの付加的なノードに対応する４つのサブブロック中に、自動的に分割し、
前記ＲＱＴの前記ルートノードにおける２つのクロマコード化ブロックフラグ（ＣＢＦ）を含め、前記クロマＣＢＦのそれぞれは、前記ＣＵの前記ＴＵのいずれかが前記それぞれのクロマ成分のサンプルに基づく有効クロマ係数ブロックに関連付けられているかどうかを示す、
前記ビットストリームを出力することを行うように前記ビデオ符号化デバイスを構成する命令を記憶し、前記命令は、前記ビデオ符号化デバイスを、前記ビットストリームを生成することの一部として構成する、
非一時的コンピュータ可読記憶媒体。
【請求項４８】
ビデオ復号デバイスの１つまたは複数のプロセッサによって実行されると、
ビデオデータの符号化表現を含むビットストリームを受信することと、前記ビデオデータは一連のピクチャを表わし、
前記一連のピクチャのうちのピクチャのコーディングユニット（ＣＵ）の残差４分木（ＲＱＴ）のそれぞれのノードに対して、前記それぞれのノードに対応するブロックが最大許容可能変換ユニット（ＴＵ）サイズよりも大きいと決定することに応答して、前記それぞれのノードに対する分割フラグを前記ビットストリームからパースすることなく、前記それぞれのノードに対応するブロックを、前記ＲＱＴの付加的なノードに対応する４つのサブブロック中に、自動的に分割することと、前記ＲＱＴはノードの階層を含み、前記ＲＱＴのルートノードは前記ＣＵ全体に対応し、前記ＲＱＴのそれぞれのリーフノードは前記ＣＵのそれぞれのＴＵに対応し、前記ＣＵの前記ＴＵのそれぞれは、前記残差ピクセルブロックの異なる１つに関連付けられ、
前記ＲＱＴの前記ルートノードにおいて、２つのクロマコード化ブロックフラグ（ＣＢＦ）を、前記ビットストリームからパースすることと、前記ＣＵは、前記最大許容可能ＴＵサイズよりも大きい、
前記クロマＣＢＦのそれぞれに対して、前記それぞれのクロマＣＢＦに基づいて、前記ＣＵの任意のＴＵが、それぞれのクロマ成分のサンプルに基づいている有効クロマ係数ブロックに関連付けられているかどうかを決定することと、
有効クロマ係数ブロックに関連付けられた前記ＣＵの特定のＴＵに基づいて、係数ブロックに対して逆変換を実行して、前記ＣＵの特定のＴＵに関連付けられた残差ピクセルブロックを再構成することと、前記有効クロマ係数ブロックは前記係数ブロックのうちの１つであり、
前記ＣＵの予測ユニット（ＰＵ）の１つまたは複数の予測ピクセルブロックと前記ＣＵの前記ＴＵに関連付けられた残差ピクセルブロックとに基づいて、前記ＣＵのビデオブロックを再構成することを行うように前記ビデオ復号デバイスを構成する命令を記憶する、
非一時的コンピュータ可読記憶媒体。
【請求項４９】
前記クロマ係数ブロックに部分的に基づいて、前記ビデオデータのピクチャを再構成することをさらに備える請求項１２記載の方法。
【請求項５０】
前記ビデオ復号デバイスは、集積回路、マイクロプロセッサ、または、ワイヤレス通信デバイスのうちの少なくとも１つを備える請求項３４記載のビデオ復号デバイス。
【請求項５１】
前記復号されたビデオデータを表示するように構成されたディスプレイをさらに備える請求項３４記載のビデオ復号デバイス。
【請求項５２】
前記ビデオデータをキャプチャするように構成されたカメラをさらに備える請求項２３記載のビデオ符号化デバイス。